(57)【要約】【課題】ユーザの顔を覆うとともにユーザの顔面の化粧崩れおよびヘアスタイルの崩れを防止するフェイスマスクを提供すること。【解決手段】柔軟な素材により形成されてユーザの顔面全体を覆うマスク基部１１０と、マスク基部１１０のマスク左右両側において弧形状を形成してユーザの耳にかけられる紐状部材（１２０、１３０）とを備え、マスク基部１１０が、ユーザの顔面と対向する凹状面を有し、マスク装着時にマスク基部１１０の中央部分１１１が、ユーザの顔面から離間した状態で、マスク基部１１０の周縁部分１１２が、ユーザの顔面と接し、紐状部材（１２０、１３０）における弧形状の少なくとも一端（１２１、１３１）側が、マスク左右両側においてそれぞれマスク基部１１０に対して挿通されて弧形状Ｌ１、Ｌ２の大きさを変更自在に設けられているフェイスマスク１００。【選択図】図１
2017193795.tif 000002
【特許請求の範囲】
【請求項１】
柔軟な素材により形成されてユーザの顔面全体を覆うマスク基部と、
前記マスク基部のマスク左右両側において弧形状を形成してユーザの耳にかけられる紐状部材とを備え、
前記マスク基部が、前記ユーザの顔面と対向する凹状面を有し、マスク装着時に前記マスク基部の中央部分が、ユーザの顔面から離間した状態で、前記マスク基部の周縁部分が、ユーザの顔面と接し、
前記紐状部材における弧形状の少なくとも一端側が、前記マスク左右両側においてそれぞれマスク基部に対して挿通されて弧形状の大きさを変更自在に設けられていることを特徴とするフェイスマスク。
【請求項２】
前記マスク基部の中央部分におけるユーザの口と対向する口カバー箇所が、空気を通過させる呼吸用孔を有していることを特徴とする請求項１に記載のフェイスマスク。
【請求項３】
前記マスク基部が、遮光性材料で形成されていることを特徴とする請求項１または請求項２に記載のフェイスマスク。
【請求項４】
前記マスク基部の周縁部分が、ユーザの顔面における額と頭皮との境界と接する上方接触箇所と、ユーザの耳の前側と接する側方接触箇所と、ユーザの下顎の前側と下側との境界と接する下方接触箇所とを有し、
前記紐状部材が、前記マスク基部における左右両側の側方接触箇所から下側の下方接触箇所まで摺動自在にそれぞれ挿通され、
前記紐状部材の両端のうちの少なくとも一端が、前記下方接触箇所からユーザの首側である下方へ突出していることを特徴とする請求項１乃至請求項３のいずれか１つに記載のフェイスマスク。
【請求項５】
前記マスク基部における上側である上方接触箇所から下側へ向かって巻かれたマスク基部のマスク左右両側が、前記マスク左右の弧形状にそれぞれ挿通されるとともに、前記下方接触箇所から突出した紐状部材が引っ張られて弧形状の大きさが小さくなって前記巻かれたマスク基部の巻かれた状態が保持されることを特徴とする請求項４に記載のフェイスマスク。
【発明の詳細な説明】
【技術分野】
【０００１】
本発明は、ユーザが休息をとるときに使用するフェイスマスクであって、特に、ユーザの顔を覆うフェイスマスクに関する。
【背景技術】
【０００２】
従来、ユーザの顔を覆うカバー部と、ユーザの顔とカバー部との間に設置されてユーザの額と接触することにより顔とカバー部との間に間隔を設けるスペーサ部と、ゴム製で両端をカバー部と連結させるとともにユーザの後頭部に周回されて挟持力を発生させてフェイスマスクをユーザの顔面に装着させるバンド部とを備えたフェイスマスクが知られている（例えば、特許文献１）。
また、ユーザの顔を覆うマスク本体と、ユーザの後頭部に当てられるクッションと、マスク本体とクッションとをつなぐバンドと、ユーザの顔とマスク本体と間に設置されてユーザの額および下顎前側と接触することにより顔とマスク本体との間に間隔を設けるガーゼとを備えたフェイスマスクが知られている（例えば、特許文献２）。
【先行技術文献】
【特許文献】
【０００３】
【特許文献１】特許５６５８８４０号公報（特に段落００２５〜段落００２６、図３参照）
【特許文献２】特開２０１０−２４０３６６号公報（特に段落０００６、段落０００９、図２、図３参照）
【発明の概要】
【発明が解決しようとする課題】
【０００４】
しかしながら、上述した従来の特許文献１に記載されたフェイスマスクは、ユーザの額と側頭部と後頭部と密に接触する構造であったため、ユーザの額の化粧が崩れてしまうだけでなく、側頭部および後頭部のヘアスタイルも崩れてしまうという問題があった。
また、上述した従来の特許文献２に記載されたフェイスマスクは、ユーザの額と下顎前側と後頭部と密に接触する構造であったため、ユーザの額および下顎前側の化粧が崩れてしまうだけでなく、後頭部のヘアスタイルも崩れてしまうという問題があった。
【０００５】
そこで、本発明は、前述したような従来技術の問題を解決するものであって、すなわち、本発明の目的は、ユーザの顔を覆うとともにユーザの顔面の化粧崩れおよびヘアスタイルの崩れを防止するフェイスマスクを提供することである。
【課題を解決するための手段】
【０００６】
本請求項１に係る発明は、柔軟な素材により形成されてユーザの顔面全体を覆うマスク基部と、前記マスク基部のマスク左右両側において弧形状を形成してユーザの耳にかけられる紐状部材とを備え、前記マスク基部が、前記ユーザの顔面と対向する凹状面を有し、マスク装着時に前記マスク基部の中央部分が、ユーザの顔面から離間した状態で、前記マスク基部の周縁部分が、ユーザの顔面と接し、前記紐状部材における弧形状の少なくとも一端側が、前記マスク左右両側においてそれぞれマスク基部に対して挿通されて弧形状の大きさを変更自在に設けられていることにより、前述した課題を解決するものである。
【０００７】
本請求項２に係る発明は、請求項１に記載されたフェイスマスクの構成に加えて、前記マスク基部の中央部分におけるユーザの口と対向する口カバー箇所が、空気を通過させる呼吸用孔を有していることにより、前述した課題をさらに解決するものである。
【０００８】
本請求項３に係る発明は、請求項１または請求項２に記載されたフェイスマスクの構成に加えて、前記マスク基部が、遮光性材料で形成されていることにより、前述した課題をさらに解決するものである。
【０００９】
本請求項４に係る発明は、請求項１乃至請求項３のいずれか１つに記載されたフェイスマスクの構成に加えて、前記マスク基部の周縁部分が、ユーザの顔面における額と頭皮との境界と接する上方接触箇所と、ユーザの耳の前側と接する側方接触箇所と、ユーザの下顎の前側と下側との境界と接する下方接触箇所とを有し、前記紐状部材が、前記マスク基部における左右両側の側方接触箇所から下側の下方接触箇所まで摺動自在にそれぞれ挿通され、前記紐状部材の両端のうちの少なくとも一端が、前記下方接触箇所からユーザの首側である下方へ突出していることにより、前述した課題をさらに解決するものである。
【００１０】
本請求項５に係る発明は、請求項４に記載されたフェイスマスクの構成に加えて、前記マスク基部における上側である上方接触箇所から下側へ向かって巻かれたマスク基部のマスク左右両側が、前記マスク左右の弧形状にそれぞれ挿通されるとともに、前記下方接触箇所から突出した紐状部材が引っ張られて弧形状の大きさが小さくなって前記巻かれたマスク基部の巻かれた状態が保持されることにより、前述した課題をさらに解決するものである。
【発明の効果】
【００１１】
本発明のフェイスマスクは、柔軟な素材により形成されたマスク基部を有していることにより、ユーザの顔面全体を覆うことができるばかりでなく、以下のような特有の効果を奏することができる。
【００１２】
本請求項１に係る発明のフェイスマスクによれば、紐状部材の弧形状の大きさが可変となるため、ユーザの目、鼻、口からマスク基部が離間した状態で弧形状をユーザの左右の耳にかけてマスク基部を顔面上の位置に保持してユーザの顔を覆うとともにユーザの顔面の化粧崩れを防止することができる。
さらに、弧形状がユーザの耳にかけられてマスク基部がユーザの顔面に着用されるため、フェイスマスクの着用によるユーザのヘアスタイルの崩れを回避することができる。
また、マスク基部の中央部分とユーザの顔面との間に閉じられた空間が形成されて空間内の湿度が保たれるため、ユーザの顔面の肌の湿度を保つことができる。
【００１３】
本請求項２に係る発明のフェイスマスクによれば、請求項１に係る発明が奏する効果に加えて、ユーザが呼吸したときに呼気および吸気が呼吸用孔を通過するため、ユーザの呼吸を妨げる虞がなくユーザは快適に呼吸することができる。
【００１４】
本請求項３に係る発明のフェイスマスクによれば、請求項１または請求項２に係る発明が奏する効果に加えて、周囲の光がユーザの目に殆ど入らないため、ユーザの安眠を妨げる虞がない。
【００１５】
本請求項４に係る発明のフェイスマスクによれば、請求項１乃至請求項３のいずれか１つに係る発明が奏する効果に加えて、ユーザが紐状部材の一端を引っ張ると弧形状の大きさが小さくなるとともにマスク基部の周縁部分がユーザの顔にフィットするため、ユーザの目、鼻、口からマスク基部が離間した状態でユーザは簡単にフェイスマスクの周縁部分をユーザの顔面にフィットさせることができる。
このとき、紐状部材の一端は、重力によりユーザの首の前に位置するため、ユーザは、フェイスマスクを着用したままで容易に紐状部材を操作してフェイスマスクをユーザの顔面にフィットさせることができる。
さらに、ユーザは紐状部材の弧形状の箇所を引っ張るだけで、弧形状の大きさが大きくなるため、容易にフェイスマスクを外すことができる。
【００１６】
本請求項５に係る発明のフェイスマスクによれば、請求項４に係る発明が奏する効果に加えて、使用しないときにはロール状にしてコンパクトな状態に保持されるため、利便性を高めることができる。
【図面の簡単な説明】
【００１７】
【図１】本発明の第１実施例であるフェイスマスクを示す斜視図。
【図２】本発明の第１実施例であるフェイスマスクをユーザが装着した状態を示す正面図。
【図３】図２に示す符号３から視た側面図。
【図４】図２に示す符号４−４で視た断面図。
【図５】図２に示す符号５−５で視た断面図。
【図６】（Ａ）（Ｂ）は紐状部材の弧形状の大きさの変化を示す図。
【図７】（Ａ）〜（Ｃ）はマスク基部が巻かれてコンパクトになる様子を凹状面側から視た図。
【図８】本発明の第２実施例であるフェイスマスクをユーザが装着した状態を示す側面図。
【発明を実施するための形態】
【００１８】
本発明のフェイスマスクは、柔軟な素材により形成されてユーザの顔面全体を覆うマスク基部と、マスク基部のマスク左右両側において弧形状を形成してユーザの耳にかけられる紐状部材とを備え、マスク基部が、ユーザの顔面と対向する凹状面を有し、マスク装着時にマスク基部の中央部分が、ユーザの顔面から離間した状態で、マスク基部の周縁部分が、ユーザの顔面と接し、紐状部材における弧形状の少なくとも一端側が、マスク左右両側においてそれぞれマスク基部に対して挿通されて弧形状の大きさを変更自在に設けられていることにより、ユーザの目、鼻、口からマスク基部が離間した状態で弧形状をユーザの左右の耳にかけてマスク基部を顔面上の位置に保持してユーザの顔を覆うとともにユーザの顔面の化粧崩れを防止し、フェイスマスクの着用によるユーザのヘアスタイルの崩れを回避し、ユーザの顔面の肌の湿度を保つものであれば、その具体的な実施態様は、如何なるものであっても構わない。
【００１９】
例えば、フェイスマスクのマスク基部の素材は、内部に気泡を含むシート状クロロプレンゴムや、シート状軟質ウレタンなど柔軟な素材であれば如何なるものであっても構わない。
さらに、シート状クロロプレンゴム素材の表面にニット地を貼り付け加工したものでもよいのは言うまでもない。
また、マスク基部については、プレス加工や射出成形加工してユーザの顔面と対向する凹状面を形成してもよいし、立体縫製して凹状面を形成してもよい。
紐状部材については、靴紐のように多少伸縮性を有したものでもよい。
【実施例１】
【００２０】
以下に、本発明の第１実施例であるフェイスマスク１００について、図１乃至図７（Ｃ）に基づいて説明する。
ここで、図１は、本発明の第１実施例であるフェイスマスク１００を示す斜視図であり、図２は、本発明の第１実施例であるフェイスマスク１００をユーザが装着した状態を示す正面図であり、図３は、図２に示す符号３から視た側面図であり、図４は、図２に示す符号４−４で視た断面図であり、図５は、図２に示す符号５−５で視た断面図であり、図６（Ａ）は、左側紐状部材１２０の弧形状Ｌ１の大きさが比較的大きいときの状態を示す図であり、図６（Ｂ）は、図６（Ａ）と比べて左側紐状部材１２０の弧形状Ｌ１の大きさが小さいときの状態を示す図であり、図７（Ａ）は、マスク基部１１０の上方が巻かれた状態を示す図であり、図７（Ｂ）は、マスク基部１１０の下方まで巻かれてマスク基部１１０の左右両側が左側紐状部材１２０および右側紐状部材１３０の弧形状Ｌ１、Ｌ２にそれぞれ挿通された状態を示す図であり、図７（Ｃ）は、左側紐状部材１２０および右側紐状部材１３０の弧形状Ｌ１、Ｌ２が小さくなってフェイスマスク１００がコンパクトになった様子を示す図である。
【００２１】
本発明の第１実施例であるフェイスマスク１００は、図１乃至図５に示すように、マスク基部１１０と、紐状部材である左側紐状部材１２０および右側紐状部材１３０とを備えている。
このうち、マスク基部１１０は、柔軟な素材の一例として内部に気泡を含むシート状クロロプレンゴムにより形成されてユーザの顔面全体を覆うように構成されている。
具体的には、マスク基部１１０が、ユーザの顔面と対向する凹状面を有している。
さらに、マスク装着時にマスク基部１１０の中央部分１１１が、ユーザの顔面から離間した状態で、マスク基部１１０の周縁部分１１２が、ユーザの顔面と接するように構成されている。
【００２２】
本実施例では、中央部分１１１は、ユーザの額や眉と対向して額や眉と非接触状態で額や眉をカバーする額カバー箇所１１１ａと、ユーザの目と対向して目と非接触状態で目をカバーする目カバー箇所１１１ｂと、ユーザの鼻と対向して鼻と非接触状態で鼻をカバーする鼻カバー箇所１１１ｃと、ユーザの口と対向して口と非接触状態で口をカバーする口カバー箇所１１１ｄと、ユーザの下顎前側と対向して下顎前側と非接触状態で下顎前側をカバーする下顎前側カバー箇所１１１ｅとを有している。
また、周縁部分１１２は、ユーザの顔面における額と頭皮との境界およびその近傍と接する上方接触箇所１１２ａと、耳の前側およびその近傍と接する側方接触箇所である左側方接触箇所１１２ｂおよび右側方接触箇所１１２ｃと、下顎の前側と下側との境界およびその近傍と接する下方接触箇所１１２ｄとを有している。
【００２３】
また、左側紐状部材１２０および右側紐状部材１３０は、マスク基部１１０のマスク左右両側においてそれぞれ弧形状Ｌ１、Ｌ２を形成してユーザの耳にかけられるように構成されている。
本実施例において、左右は、ユーザから視た左右である。
さらに、左側紐状部材１２０における弧形状Ｌ１の一端側（左側紐状部材１２０の一端１２１側）が、マスク左側においてマスク基部１１０の左側筒状ガイド１１３に挿通され、他端１２２が、一端側よりもマスク上方の位置においてマスク基部１１０に固定されている。
これにより、左側紐状部材１２０における一端１２１側をマスク基部１１０に対して滑らせることで、弧形状Ｌ１の大きさが変更自在となる。
なお、他端１２２を固定して一端１２１側のみを可動にしたが、他端１２２側も可動にしてもよいのは言うまでもない。
【００２４】
左側紐状部材１２０と同様に、右側紐状部材１３０における弧形状Ｌ２の一端側（右側紐状部材１３０の一端１３１側）が、マスク右側においてマスク基部１１０の右側筒状ガイド１１４に挿通され、他端１３２が、一端側よりもマスク上方の位置においてマスク基部１１０に固定されている。
これにより、右側紐状部材１３０における一端１３１側をマスク基部１１０に対して滑らせることで、弧形状Ｌ２の大きさが変更自在となる。
さらに、弧形状Ｌ１、Ｌ２がユーザの耳にかけられてマスク基部１１０がユーザの顔面に着用される。
また、マスク基部１１０の中央部分１１１とユーザの顔面との間に閉じられた空間が形成されて空間内の湿度が保たれる。
【００２５】
また、口カバー箇所１１１ｄが、空気を通過させる呼吸用孔１１１ｄａを有している。
本実施例では、一例として直径２〜３ｍｍ程度の呼吸用孔１１１ｄａが２７つ程度形成されている。
これにより、ユーザが呼吸したときに呼気および吸気が呼吸用孔１１１ｄａを通過する。
つまり、ユーザの呼吸を妨げる虞がない。
なお、呼吸用孔１１１ｄａとして、長辺３０ｍｍ、短辺２０ｍｍ程度の楕円形を１つ形成してもよい。
【００２６】
さらに、本実施例では、マスク基部１１０が、遮光性材料で形成されている。
これにより、周囲の光がユーザの目に殆ど入らない。
つまり、ユーザの安眠を妨げる虞がない。
【００２７】
また、本実施例では、左側紐状部材１２０が、マスク基部１１０における左側方接触箇所１１２ｂから下側の下方接触箇所１１２ｄまで形成された左側筒状ガイド１１３の内部を摺動自在に挿通されている。
ここで、左側筒状ガイド１１３は、一例としてシート状のマスク基部１１０の縁を折り返して縫われることで形成されている。
【００２８】
左側紐状部材１２０は、マスク基部１１０に対して摺動自在に挿通されていればよく、例えば、ズボンやスカートの所謂、ベルト通しのように帯状部材によって摺動自在にガイドされていてもよい。
そして、左側紐状部材１２０の一端１２１が、左側筒状ガイド１１３からユーザの首側である下方へ突出している。
【００２９】
左側紐状部材１２０と同様に、右側紐状部材１３０が、マスク基部１１０における右側方接触箇所１１２ｃから下側の下方接触箇所１１２ｄまで形成された右側筒状ガイド１１４の内部を摺動自在に挿通されている。
さらに、右側紐状部材１３０の一端１３１が、右側筒状ガイド１１４からユーザの首側である下方へ突出している。
【００３０】
これにより、図６（Ａ）に示す状態からユーザが左側紐状部材１２０の一端１２１および右側紐状部材１３０の一端１３１を引っ張ると、図６（Ｂ）に示すように、左右の弧形状Ｌ１、Ｌ２の大きさが小さくなるとともにマスク基部１１０の周縁部分１１２がユーザの顔にフィットする。
つまり、ユーザの目、鼻、口からマスク基部１１０が離間した状態でユーザは簡単にフェイスマスク１００の周縁部分１１２をユーザの顔面にフィットさせることができる。
ここで、ユーザが座席シートの背もたれを起こして座っている状態や座席シートの背もたれを倒して座っている状態では、左側紐状部材１２０の一端１２１および右側紐状部材１３０の一端１３１は、重力によりユーザの首の前に位置する。
そのため、ユーザは、フェイスマスク１００を着用したままで左側紐状部材１２０の一端１２１および右側紐状部材１３０の一端１３１を容易に操作してフェイスマスク１００をユーザの顔面にフィットさせることができる。
【００３１】
さらに、ユーザは左側紐状部材１２０の弧形状Ｌ１の箇所および右側紐状部材１３０の弧形状Ｌ２の箇所を引っ張るだけで、左右の弧形状Ｌ１、Ｌ２の大きさが大きくなる。
つまり、容易にフェイスマスク１００を外すことができる。
【００３２】
なお、左側筒状ガイド１１３から突出した左側紐状部材１２０の一端１２１側および右側筒状ガイド１１４から突出した右側紐状部材１３０の一端１３１側が、公知の紐ストッパー具１４０に挿通されている。
紐ストッパー具１４０の内部には、図示しないばねが設けられて、ばねの付勢力が作用して、左側紐状部材１２０および右側紐状部材１３０と紐ストッパー具１４０との間に比較的大きな摩擦力が発生するように構成されている。
【００３３】
これにより、ユーザがフェイスマスク１００を装着した状態において、左右の耳にかけられた左側紐状部材１２０の弧形状Ｌ１および右側紐状部材１３０の弧形状Ｌ２の大きさが維持される。
つまり、左側紐状部材１２０の弧形状Ｌ１および右側紐状部材１３０の弧形状Ｌ２が勝手に大きくなって左右の耳のかかり具合が緩んでしまうことを回避することができる。
【００３４】
また、本実施例では、フェイスマスク１００を使用しないとき、フェイスマスク１００をコンパクトにすることができる。
具体的には、先ず、図７（Ａ）に示すように、マスク基部１１０の上方を下方へ向かって凹状面内側へ巻いていく。
次に、図７（Ｂ）に示すように、マスク基部１１０の下方を上方へ向かって凹状面内側へ巻いていき、巻かれたマスク基部１１０の左側を、左側紐状部材１２０の弧形状Ｌ１に相対的に挿通させるために、左側紐状部材１２０の弧形状Ｌ１を右側へ移動させる。
そして、左側と同様に、巻かれたマスク基部１１０の右側を、右側紐状部材１３０の弧形状Ｌ２に相対的に挿通させるために、右側紐状部材１３０の弧形状Ｌ２を左側へ移動させる。
なお、「マスク基部１１０の下方を上方へ向かって凹状面内側へ巻いていき」と説明したが、これは、図７（Ｂ）に図示して理解しやすく説明しただけであり、図７（Ａ）の状態から続けて上方を下方へ向かって巻き続けてもよいのは言うまでもない。
つまり、マスク基部１１０が巻かれたときに、左側紐状部材１２０の一端１２１および右側紐状部材１３０の一端１３１が外周側に位置していればよい。
【００３５】
そして、図７（Ｃ）に示すように、紐ストッパー具１４０を押さえながら、左側筒状ガイド１１３から突出した左側紐状部材１２０の一端１２１側および右側筒状ガイド１１４から突出した右側紐状部材１３０の一端１３１側を引っ張る。
すると、左側紐状部材１２０の弧形状Ｌ１および右側紐状部材１３０の弧形状Ｌ２の大きさが小さくなり、マスク基部１１０の巻かれた状態が保持される。
つまり、フェイスマスク１００が上下方向にコンパクトになる。
【００３６】
なお、図７（Ｃ）に示す状態からさらに左側紐状部材１２０の一端１２１側および右側紐状部材１３０の一端１３１側を引っ張ると、左側紐状部材１２０および右側紐状部材１３０によって左右方向に力が作用するため、マスク基部１１０が左右方向に縮むように丸くなる。
つまり、フェイスマスク１００が左右方向にもコンパクトになり、ユーザの服のポケットや鞄やスーツケースなどに容易に収納することができる。
【００３７】
ユーザがフェイスマスク１００を使用するときは、図７（Ｃ）に示す状態から紐ストッパー具１４０を緩めて、左側紐状部材１２０の弧形状Ｌ１および右側紐状部材１３０の弧形状Ｌ２の大きさを大きくする。
次に、図７（Ｂ）に示すように、左側紐状部材１２０の弧形状Ｌ１および右側紐状部材１３０の弧形状Ｌ２からマスク基部１１０の左右両側を相対的に抜くために、左側紐状部材１２０の弧形状Ｌ１を左側へ、右側紐状部材１３０の弧形状Ｌ２を左側へ広げる。
そして、巻かれた状態のマスク基部１１０を上下方向に広げることにより、図１に示す元の使用可能な状態に戻すことができる。
【００３８】
このようにして得られた本発明の第１実施例であるフェイスマスク１００は、柔軟な素材により形成されてユーザの顔面全体を覆うマスク基部１１０と、マスク基部１１０のマスク左右両側において弧形状Ｌ１、Ｌ２を形成してユーザの耳にかけられる紐状部材である左側紐状部材１２０および右側紐状部材１３０とを備え、マスク基部１１０が、ユーザの顔面と対向する凹状面を有し、マスク装着時にマスク基部１１０の中央部分１１１が、ユーザの顔面から離間した状態で、マスク基部１１０の周縁部分１１２が、ユーザの顔面と接し、左側紐状部材１２０および右側紐状部材１３０における弧形状Ｌ１、Ｌ２の少なくとも一端（１２１、１３１）側が、マスク左右両側においてそれぞれマスク基部１１０に対して挿通されて弧形状Ｌ１、Ｌ２の大きさを変更自在に設けられていることにより、ユーザの目、鼻、口からマスク基部１１０が離間した状態で弧形状Ｌ１、Ｌ２をユーザの左右の耳にかけてフェイスマスク１００を顔面上の位置に保持してユーザの顔を覆うとともにユーザの顔面の化粧崩れを防止し、マスクの着用によるユーザのヘアスタイルの崩れを回避するとともに、ユーザの顔面の肌の湿度を保つことができる。
【００３９】
さらに、マスク基部１１０の中央部分１１１におけるユーザの口と対向する口カバー箇所１１１ｄが、空気を通過させる呼吸用孔１１１ｄａを有していることにより、ユーザの呼吸を妨げる虞がなくユーザは快適に呼吸することができる。
また、マスク基部１１０が、遮光性材料で形成されていることにより、ユーザの安眠を妨げる虞がなくユーザは快適に休息をとることができる。
【００４０】
さらに、左側紐状部材１２０および右側紐状部材１３０が、マスク基部１１０における左側方接触箇所１１２ｂおよび右側方接触箇所１１２ｃから下側の下方接触箇所１１２ｄまで摺動自在にそれぞれ挿通され、左側紐状部材１２０および右側紐状部材１３０の両端のうちの少なくとも一端１２１、１３１が、下方接触箇所１１２ｄからユーザの首側である下方へ突出していることにより、ユーザの目、鼻、口からマスク基部１１０が離間した状態でユーザは簡単にフェイスマスク１００の周縁部分１１２をユーザの顔面にフィットさせることができ、容易にマスクを外すことができる。
【００４１】
また、マスク基部１１０における上側である上方接触箇所１１２ａから下側へ向かって巻かれたマスク基部１１０のマスク左右両側が、マスク左右の弧形状Ｌ１、Ｌ２にそれぞれ挿通されるとともに、下方接触箇所１１２ｄから突出した左側紐状部材１２０および右側紐状部材１３０が引っ張られて弧形状Ｌ１、Ｌ２の大きさが小さくなってマスク基部１１０の巻かれた状態が保持されることにより、使用しないときにはコンパクトにして利便性を高めることができるなど、その効果は甚大である。
【実施例２】
【００４２】
続いて、本発明の第２実施例であるフェイスマスク２００について、図８に基づいて説明する。
ここで、図８は、本発明の第２実施例であるフェイスマスク２００をユーザが装着した状態を示す側面図である。
第２実施例のフェイスマスク２００は、第１実施例のフェイスマスク１００のマスク基部１１０の左右両側にユーザの耳の穴と対向する耳カバー突片２１５を追加したものであり、多くの要素について第１実施例のフェイスマスク１００と共通するので、共通する事項については詳しい説明を省略し、下２桁が共通する２００番台の符号を付すのみとする。
【００４３】
図８に示すように、本発明の第２実施例であるフェイスマスク２００は、マスク基部２１０の左右両側にユーザの耳の穴と対向する耳カバー突片２１５を有している。
耳カバー突片２１５は、マスク基部２１０と連なって形成され、ユーザの耳の穴および穴周囲と対向している。
これにより、ユーザの耳にダイレクトに響こうとする周囲の音が遮られる。
その結果、ユーザの安眠を妨げる虞がなくユーザは快適に休息をとることができる。
【００４４】
なお、通常の耳栓と異なり、耳の穴が完全に塞がれるわけではないため、音がこもった感じがない。
さらに、図７（Ａ）〜図７（Ｃ）で説明したように、マスク基部２１０を巻いてコンパクトにした際、耳カバー突片２１５があることにより、コンパクトな状態のときに左側紐状部材２２０の弧形状Ｌ１および右側紐状部材（図示せず）の弧形状Ｌ１がマスク基部２１０から適度に外れにくくなるため、コンパクトな状態を保持することができる。
【符号の説明】
【００４５】
１００、    ２００    ・・・  フェイスマスク
１１０、    ２１０    ・・・  マスク基部
１１１、    ２１１    ・・・  中央部分
１１１ａ、  ２１１ａ  ・・・  額カバー箇所
１１１ｂ、  ２１１ｂ  ・・・  目カバー箇所
１１１ｃ、  ２１１ｃ  ・・・  鼻カバー箇所
１１１ｄ、  ２１１ｄ  ・・・  口カバー箇所
１１１ｄａ、２１１ｄａ・・・  呼吸用孔
１１１ｅ、  ２１１ｅ  ・・・  下顎前側カバー箇所
１１２、    ２１２    ・・・  周縁部分
１１２ａ、  ２１２ａ  ・・・  上方接触箇所
１１２ｂ、  ２１２ｂ  ・・・  左側方接触箇所
１１２ｃ              ・・・  右側方接触箇所
１１２ｄ、  ２１２ｄ  ・・・  下方接触箇所
１１３、    ２１３    ・・・  左側筒状ガイド
１１４                ・・・  右側筒状ガイド
２１５    ・・・  耳カバー突片
１２０、    ２２０    ・・・  左側紐状部材
１２１、    ２２１    ・・・  一端
１２２、    ２２２    ・・・  他端
１３０                ・・・  右側紐状部材
１３１                ・・・  一端
１３２                ・・・  他端
１４０、    ２４０    ・・・  紐ストッパー具
Ｌ１                  ・・・  （左側の）弧形状
Ｌ２                  ・・・  （右側の）弧形状
【図１】
2017193795.tif 000003
【図２】
2017193795.tif 000004
【図３】
2017193795.tif 000005
【図４】
2017193795.tif 000006
【図５】
2017193795.tif 000007
【図６】
2017193795.tif 000008
【図７】
2017193795.tif 000009
【図８】
2017193795.tif 000010